(57)【要約】【課題】コネクタアダプタを介して接続された携帯電子機器を、コネクタアダプタとともに安定して支持可能な携帯電子機器支持アダプタを提供する。【解決手段】第１形状のコネクタを有する携帯電子機器と第２形状のコネクタを有する第２電子機器との間に接続され、第１形状のコネクタおよび第２形状のコネクタにそれぞれ対応する形状を有するコネクタアダプタを支持する携帯電子機器支持アダプタであって、第２電子機器に対して自身を固定する固定部材と、第２電子機器に接続されたコネクタアダプタを支持するコネクタアダプタ支持部と、コネクタアダプタに接続された携帯電子機器を背面から支持する携帯電子機器支持部と、を備える。【選択図】図４
2014081749.tif 000002
【特許請求の範囲】
【請求項１】
第１形状のコネクタを有する携帯電子機器と第２形状のコネクタを有する第２電子機器との間に接続され、前記第１形状のコネクタおよび前記第２形状のコネクタにそれぞれ対応する形状を有するコネクタアダプタを支持する携帯電子機器支持アダプタであって、
前記第２電子機器に対して、自身を固定する固定部材と、
前記第２電子機器に接続された前記コネクタアダプタを支持するコネクタアダプタ支持部と、
前記コネクタアダプタに接続された前記携帯電子機器を、背面から支持する携帯電子機器支持部と、
を備えた携帯電子機器支持アダプタ。
【請求項２】
前記携帯電子機器は、機器の底面に前記第１形状のコネクタを有し、
前記第２電子機器は、機器の上面に前記第２形状のコネクタを有し、
前記コネクタアダプタは、その底面に前記第２形状のコネクタを有するとともに、その上面に前記第１形状のコネクタを有し、
前記コネクタアダプタ支持部は、前記第２電子機器の前記第２形状のコネクタ上に設置された前記コネクタアダプタを少なくとも前後から支持し、
前記携帯電子機器支持部は、前記コネクタアダプタ上に設置された前記携帯電子機器の下１／４よりも上で前記携帯電子機器を支持する
請求項１に記載の携帯電子機器支持アダプタ。
【発明の詳細な説明】
【技術分野】
【０００１】
この発明は、親機にセットされたスマートフォンや携帯オーディオプレーヤなどの携帯電子機器を支持する携帯電子機器支持アダプタに関する。
【背景技術】
【０００２】
スマートフォンや携帯オーディオプレーヤなどの携帯電子機器が普及している。これら携帯電子機器は、専らイヤホンで音声を再生する機器である。携帯電子機器で再生された音声をスピーカから出力する機器として、携帯電子機器を接続するコネクタを備えた据置装置が実用化されている（たとえば特許文献１）。この種の据置装置は、上面にコネクタを備え、携帯電子機器をほぼ立てた状態でコネクタに接続するようになっている。
【０００３】
また、携帯電子機器は、種々改良されており、新たな機種にはコネクタの形状が異なるものがある。この異なる形状のコネクタを備えた携帯電子機器を従来の据置機器に接続するために、コネクタ形状を変換するコネクタアダプタが実用化されている（非特許文献１参照）。
【先行技術文献】
【特許文献】
【０００４】
【特許文献１】特開２０１０−５６９６８号公報
【非特許文献】
【０００５】
【非特許文献１】“Lightning to 30-pin Adapter”、［online］、平成24年10月、Apple Inc、［平成24年10月9日検索］、インターネット〈URL：http://store.apple.com/us/product/MD823ZM/A/lightning-to-30-pin-adapter〉
【発明の概要】
【発明が解決しようとする課題】
【０００６】
携帯電子機器の多くは表面にタッチパネルなどの操作部を備えており、据置装置に接続された状態でも携帯電子機器がユーザによって操作される場合がある。しかし、据置機器に接続されたコネクタアダプタのさらにその上に接続された携帯電子機器は、極めて不安定であり、ユーザによって操作されたとき、この操作による横方向の力によって携帯電子機器がぐらつく。このぐらつきによって、コネクタアダプタ、更には携帯電子機器や据置装置のコネクタが破損してしまうおそれがあった。
【０００７】
この発明は、コネクタアダプタを介して接続された携帯電子機器を、コネクタアダプタとともに安定して支持可能な携帯電子機器支持アダプタを提供することを目的とする。
【課題を解決するための手段】
【０００８】
本発明は、第１形状のコネクタを有する携帯電子機器と第２形状のコネクタを有する第２電子機器との間に接続され、前記第１形状のコネクタおよび前記第２形状のコネクタにそれぞれ対応する形状を有するコネクタアダプタを支持する携帯電子機器支持アダプタであって、前記第２電子機器に対して、自身を固定する固定部材と、前記第２電子機器に接続された前記コネクタアダプタを支持するコネクタアダプタ支持部と、前記コネクタアダプタに接続された前記携帯電子機器を、背面から支持する携帯電子機器支持部と、を備えたことを特徴とする。
【０００９】
上記発明において、前記携帯電子機器は、機器の底面に前記第１形状のコネクタを有し、前記第２電子機器は、機器の上面に前記第２形状のコネクタを有し、前記コネクタアダプタは、その底面に前記第２形状のコネクタを有するとともに、その上面に前記第１形状のコネクタを有し、前記コネクタアダプタ支持部は、前記第２電子機器の前記第２形状のコネクタ上に設置された前記コネクタアダプタを少なくとも前後から支持し、前記携帯電子機器支持部は、前記コネクタアダプタ上に設置された前記携帯電子機器の下１／４よりも上で前記携帯電子機器を支持するものであってもよい。
【発明の効果】
【００１０】
この発明によれば、携帯電子機器がコネクタアダプタを介して第２電子機器に接続された場合であっても、コネクタアダプタとともに携帯電子機器を安定して支持することが可能になる。
【図面の簡単な説明】
【００１１】
【図１】この発明が適用されるオーディオシステムの構成図
【図２】スピーカ装置の携帯電子機器ドックの斜視図
【図３】この発明の実施形態であるドックアダプタの構造を説明する図
【図４】ドックアダプタが装着された携帯電子機器ドックの斜視図
【図５】ドックアダプタが装着された携帯電子機器ドックに携帯電子機器が接続された状態を示す側断面図
【図６】ドックアダプタのホルダの他の形状を示す図
【図７】ドックアダプタの他の形状を示す図
【発明を実施するための形態】
【００１２】
図面を参照して、この発明が適用されるオーディオシステムについて説明する。図１は、オーディオシステムの構成図である。このオーディオシステムは、スピーカ装置１および携帯電子機器２を有している。図２は、スピーカ装置１の携帯電子機器ドック１１の斜視図である。携帯電子機器２は、たとえばスマートフォン（多機能携帯電話）や携帯オーディオプレーヤなどであり、底面に第１形状のコネクタ２０１（メスコネクタ）を有している。スピーカ装置１は、上面に、図２に示す第２形状のコネクタ１３（オスコネクタ）を有し、このコネクタ１３に接続された携帯電子機器２が再生した音楽等のオーディオ信号を増幅してスピーカから出力する。
【００１３】
図１において、スピーカ装置１は、略直方体形状をなしており、天板１０の略中央部に携帯電子機器ドック１１を備えている。携帯電子機器ドック１１は、図２に示すように、携帯電子機器２の下端部が収容される凹部１２、および、凹部１２の底面中央部に設けられたコネクタ１３を有している。コネクタ１３は左右を長手方向とする薄板状の第２形状のコネクタであり、たとえば３０ピンのオスコネクタである。３０ピンのメスコネクタを有する携帯電子機器は、このコネクタ１３に直接接続される。この実施形態で例示する携帯電子機器２は、第１形状、例えば８ピンのメスコネクタ２０１を備えた携帯電子機器である。このような携帯電子機器２をスピーカ装置１に接続するために、コネクタアダプタ４が別途設けられる。
【００１４】
コネクタアダプタ４は、底面に第２形状のメスコネクタ４０１を有し、上面に第１形状のオスコネクタ４０２を有する。このコネクタアダプタ４のメスコネクタ４０１をスピーカ装置１のコネクタ１３に接続し、オスコネクタ４０２に携帯電子機器２のコネクタ２０１を接続することで、携帯電子機器２をスピーカ装置１に接続することができる。コネクタ１３は、コネクタアダプタ４を介して、携帯電子機器２からオーディオ信号を入力するとともに、携帯電子機器２に対して電源を供給する。
【００１５】
スピーカ装置１の前面パネルには左右のスピーカ１５、ボリウムダイヤル１６、ディスプレイ１７が設けられている。携帯電子機器２から入力されたオーディオ信号は、内蔵のアンプで増幅されたのちスピーカ１５から出力される。その音量はボリウムダイヤル１６を操作することでユーザが調整することができる。また、ボリウム値や再生中の楽曲の曲名等がディスプレイ１７に表示される。
【００１６】
図２に示すように、携帯電子機器ドック１１の凹部１２は、左右を長手方向とする角丸長方形状であり、スピーカ装置１の背面側が深く、前面側が浅くなっており、コネクタ１３はその底面にやや後ろ方向に傾けて立設されている。このため、コネクタ１３に接続されたコネクタアダプタ４および携帯電子機器２は、コネクタ同士の嵌合によりやや後方に若干傾いた状態で保持される。凹部１２の周縁部、すなわち天板１０との境界部には、凹部１２の輪郭線状に溝１２Ａが形成されている。
【００１７】
凹部１２の前壁には２本の凹条または長穴である前係止部１４が形成されている。また、凹部１２の後壁には凹条または長穴である後係止部１５が形成されている。これら前後係止部１４，１５は、後述のドックアダプタ３の前後の凸舌３５，３６を係止する。ドックアダプタ３は、携帯電子機器２およびコネクタアダプタ４を支持する部材であり、携帯電子機器ドック１１に被せるように装着される。
【００１８】
図３は、ドックアダプタ３の構造を説明する図である。ドックアダプタ３は、携帯電子機器ドック１１の凹部１２に嵌合する本体３０、および、携帯電子機器２を支持する携帯電子機器支持部４０を有している。
【００１９】
本体３０は、フランジ（縁部）３１およびボウル３２を有している。フランジ３１は携帯電子機器ドック１１の凹部１２と同じ輪郭形状をしており、凹部１２周縁の溝１２Ａに嵌合する。フランジ３１中央の内側にボウル３２が形成されている。ボウル３２は、フランジ３１の内側から下向きに形成されており、携帯電子機器ドック１１の凹部１２に沿った形状をしている。そして、ボウル３２の底面略中央にホルダ３３が形成されている。ホルダ３３は、長円の筒状の形状をしており、その内壁の形状はコネクタアダプタ４の平面形状とほぼ一致している。ドックアダプタ３が機器ドック１１の凹部１２に嵌合した状態のとき、ホルダ３３の内部をコネクタ１３に接続されたコネクタアダプタ４が嵌通する。これにより、コネクタアダプタ４は、ホルダ３３によって前後左右から支持され、コネクタアダプタ４に横方向に力が掛かってもコネクタアダプタ４が倒れないように、すなわち、コネクタ１３に負荷が掛からないように保護される。
【００２０】
ボウル３２の外側前面には、前方に突出する２つの前凸舌３５が形成されている。また、ボウル３２の外側後面には、後方に突出する１つの後凸舌３６が形成されている。これら、前後凸舌３５，３６は、ドックアダプタ３が携帯電子機器ドック１１に装着されたとき、その先端部が上述の前後係止部１４，１５に係止される。これにより、ドックアダプタ３は、上下方向の移動が規制され、転倒が防止される。
【００２１】
フランジ３１は、後方側が幅広に形成されており、この後方側に携帯電子機器支持部４０の左右２つの支柱４１が立設されている。支柱は前後方向（特に後方向）への力に耐えられるように前後方向に幅広に形成されている。そして、左右の支柱４１の上端付近前側にピローバー４２が架け渡されている。このピローバー４２に携帯電子機器２の背面が当接する。なお、ピローバー４２がコネクタアダプタ４上に接続された携帯電子機器２の下１／４よりも上に当接するように、支柱４１は十分に高く形成されている。
【００２２】
図４は、携帯電子機器ドック１１にドックアダプタ３およびコネクタアダプタ４が装着された状態を示す斜視図である。また、図５は、携帯電子機器ドック１１にドックアダプタ３およびコネクタアダプタ４が装着され、コネクタアダプタ４に携帯電子機器２が接続された状態を示す側断面面である。
【００２３】
ドックアダプタ３は、携帯端末装置支持部４０がスピーカ装置１の背面側になるように、携帯電子機器ドック１１に装着される。装置時は、フランジ３１が溝１２Ａに嵌合し、且つ、前後凸舌３５，３６が前後係止部１４，１５に係止されて、ドックアダプタ３がほぼ遊びなく位置決めされ、且つ上下の移動が規制される。ドックアダプタ３が携帯電子機器ドック１１に装着されると、ホルダ３３がコネクタ１３上に位置し、コネクタアダプタ４を、ホルダ３３を嵌通させてコネクタ１３に接続することができる。この状態でコネクタアダプタ４は、ホルダ３３によって前後左右から支持され、横方向に力が掛かってもぐらつかない。
【００２４】
なお、ドックアダプタ３およびコネクタアダプタ４の携帯電子機器ドック１１への装着の順序は、どちらが先でもよい。また、ホルダ３３にコネクタアダプタ４を嵌通させたのち、両者を一緒に携帯電子機器ドック１１に装着してもよい。
【００２５】
さらに、このコネクタアダプタ４上に携帯電子機器２が接続される。コネクタアダプタ４に接続された携帯電子機器２は、その背面が携帯電子機器支持部４のピローバー４２に当接し、後方への傾きが規制される。
【００２６】
スマートフォンなどの携帯電子機器２は、表面がタッチパネルになっているものが多いが、図５示すように、携帯電子機器２の背面がピローバー４２に当接して背面から支持されている状態であれば、タッチパネルが操作されても、携帯電子機器２のコネクタ２０１に強い力が掛からず、コネクタ２０１やコネクタアダプタ４が損傷することがない。また、ピローバー４２は、携帯電子機器２の下１／４よりも上に当接しているため、タッチパネルが操作されてもコネクタ２０１に掛かる力は小さい。また、図５において、ドックアダプタ３の前後凸舌３５，３６の先端が、携帯電子機器ドック１１の前後係止部１４，１５に係止されているため、ユーザの操作によってドックアダプタ３に前後の力が掛かっても、ドックアダプタ３が転倒することがない。
【００２７】
なお、図３〜図５に示した実施形態では、ホルダ３３が、コネクタアダプタ４が嵌通する筒状の形状をしている例を示したが、ホルダ３３の形状はこれに限定されない。コネクタアダプタ４の少なくとも前後方向へのぐらつきを規制できる形状であればよい。たとえば、ホルダ３３は、断面が図６（Ａ）、（Ｂ）に示すような形状であってもよい。
【００２８】
以上説明した実施形態では、ドックアダプタ３に、携帯電子機器ドック１１の凹部１２に沿ったボウル３２を設けたが、携帯電子機器２は、コネクタアダプタ４上の高い位置に接続されるため、ボウル３２はなくてもよい。また、コネクタアダプタ４上の高い位置にボウルを形成してもよい。図７にボウルを持たないドックアダプタ１０３の断面形状の例を示しておく。
【００２９】
この実施形態では、第２形状のコネクタ１３から第１形状のコネクタ２０１に変換するコネクタアダプタ４を有するオーディオシステムについて説明したが、逆に、第１形状のコネクタから第２形状のコネクタに変換するコネクタアダプタを有するオーディオシステムにも本願発明を適用可能である。
【符号の説明】
【００３０】
１  スピーカ装置（本発明の親電子機器）
２  携帯電子機器
３  ドックアダプタ（本発明の携帯電子機器支持アダプタ）
４  コネクタアダプタ
１３，４０１  （第２形状の）コネクタ
２０１，４０２  （第１形状の）コネクタ
１４，１５  係止部
３３  ホルダ
３５，３６  凸舌
【図１】
2014081749.tif 000003
【図２】
2014081749.tif 000004
【図３】
2014081749.tif 000005
【図４】
2014081749.tif 000006
【図５】
2014081749.tif 000007
【図６】
2014081749.tif 000008
【図７】
2014081749.tif 000009